(57)【特許請求の範囲】
【請求項１】
映像送出装置（１４）からの映像および文字情報を制御機（８）の表示制御部（９）を介して表示する表示器（２）、前記表示器の表示部（３）の前面に設置され入力操作を検出するタッチパネル式操作器（５）、前記タッチパネル式操作器の出力信号から操作位置を検出する操作位置検出器（７）、前記操作位置検出器からの位置情報を受信する前記制御機の操作制御部（１０）から構成されるタッチパネル表示装置（１）において、前記タッチパネル表示装置は、前記タッチパネル式操作器のタッチパネル式操作器操作面（６）を清掃するおそうじボタン（４）と、前記おそうじボタンの操作開始から所定時間をカウントする時間検出部（１１）と、前記おそうじボタンの操作開始から所定時間を経過するまで前記操作位置検出器から前記操作制御部へ送出する位置情報を中断する信号入切スイッチ（１２）と、前記映像送出装置から送出される前記映像および文字情報に変化があったことを検出し前記信号入切スイッチの中断を停止する映像信号検出器（１３）とを備えたことを特徴とするタッチパネル表示装置。
【発明の詳細な説明】
【０００１】
【発明の属する技術分野】
本発明は、タッチパネル表示装置に係わり、特にタッチパネル式操作器操作面の汚れを誤操作することなく清掃可能とするタッチパネル表示装置に関する。
【０００２】
【従来の技術】
図２は従来のタッチパネル式表示装置である。同図に示すタッチパネル表示装置５４は、制御機５７の表示制御部５８に入力される映像および文字情報を表示する表示器５２と、表示器５２の表示部５３前面に設置され入力操作を検出するタッチパネル式操作器５１、タッチパネル式操作器５１の出力信号から操作位置を検出する操作位置検出器５６、操作位置検出器５６の位置情報を制御機５７の表示制御部５８および外部送信機６１に伝える操作制御部５９とを備えている。
【０００３】
このようなタッチパネル表示装置において、映像送出装置６０からの映像信号は制御機５７の表示制御部５８に入力される、表示制御部５８では表示器５２をコントロールし表示器５２の表示部５３に映像および文字情報を表示する。表示部５３の前面に設定され入力操作ができるタッチパネル式操作器５１は、人の指がタッチパネル式操作器５１のタッチパネル式操作器操作面５５に触れるとその信号を操作位置検出器５６に知らせる。操作位置検出器５６では、人の指がタッチパネル式操作器操作面５５のどの部分を示したかを検出しＸＹ座標にて制御機５７の操作制御部５９に伝える。操作制御部５９では、タッチパネル式操作器操作面５５において人の指が示した場所を表示器５２の表示部５３にマーク表示するため表示支持信号を表示制御部５８に送信する、さらに操作制御部５９ではタッチパネル式操作器操作面５５において人の指が示した場所の情報を外部の機器に送信するため送信機６１に操作信号を送出する。
【０００４】
【発明が解決しようとする課題】
しかしながら、従来のタッチパネル表示装置は、以上のように構成されているので、監視盤など表示の重要性が高く使用頻度も高い場合または、連続稼動が必要な場合においては特に、タッチパネル表示装置のタッチパネル式操作器操作面は入力操作等による汚れが頻繁に発生し表示の妨げとなる、この汚れの清掃を行うには、誤操作防止の観点からタッチパネル表示装置の電源を一時的に切断する必要があるが、その間は、重要な表示ができなくなるという難点があった。
【０００５】
本発明は、上記の難点を解消するためになされたもので、タッチパネル表示装置のタッチパネル式操作装置操作面の汚れを人が清掃を行う間は、タッチパネル式操作器からの入力操作信号が操作制御部へ入力されることを一時的に一定時間停止させることで清掃による誤操作を防止するとともに表示装置の表示部には表示を継続させることができるタッチパネル表示装置を提供することを目的とする。
【０００６】
【課題を解決するための手段】
上記の目的を達成するため、本発明によるタッチパネル表示装置は、映像送出装置からの映像および文字情報を制御機の表示制御部を介して表示する表示器、表示器の表示部の前面に設置され入力操作を検出するタッチパネル式操作器、タッチパネル式操作器の出力信号から操作位置を検出する操作位置検出器、操作位置検出器からの位置情報を受信する制御機の操作制御部から構成されるタッチパネル表示装置において、タッチパネル表示装置は、タッチパネル式操作器のタッチパネル式操作器操作面を清掃するおそうじボタンと、おそうじボタンの操作開始から所定時間をカウントする時間検出部と、おそうじボタンの操作開始から所定時間を経過するまで操作位置検出器から操作制御部へ送出する位置情報を中断する信号入切スイッチと、映像送出装置から送出される映像および文字情報に変化があったことを検出し信号入切スイッチの中断を停止する映像信号検出器とを備える。
【０００７】
このタッチパネル表示装置において、おそうじボタンを押すことで、信号入切ＳＷをＯＦＦとし操作位置検出器からの位置信号を操作制御部に送出停止することで、タッチパネル式操作器からの入力操作機能を停止させ誤操作なくタッチパネル式操作器操作面の清掃を行うことができる。
【０００８】
【発明の実施の形態】
以下、本発明によるタッチパネル表示装置を、図面を参照して説明する。図１に示すタッチパネル表示装置は、制御機８の表示制御部９に入力される映像および文字情報を表示する表示器２と、表示器２の表示部３の前面に設置され入力操作を検出するタッチパネル式操作器５、タッチパネル式操作器５の出力信号から操作位置を検出する操作位置検出器７、操作位置検出器７の位置情報を制御機８の表示制御部９および外部送信機１５に伝える操作制御部１０、操作位置検出器７と操作制御部７の間には信号を入切する信号入切ＳＷ１２が挿入されている、操作制御部１０には信号入切ＳＷ１２の制御時間をカウントする時間検出部１１が接続されており、さらに操作位置検出器７にはタッチパネル式操作器５のタッチパネル式操作器操作面６を清掃する際に使用するおそうじボタン４が接続されている、また、表示制御部９の映像入力側には映像信号が入力されたことを操作制御部１０へ伝える映像信号検出器１３が接続されている。
【０００９】
このようなタッチパネル表示装置において、映像送出装置１４からの映像信号は制御機８の表示制御部９に入力される、表示制御部９では表示器２をコントロールし表示器２の表示部３に映像および文字情報を表示する。表示部３の前面に設定され入力操作ができるタッチパネル式操作器５は、人の指がタッチパネル式操作器５のタッチパネル式操作器操作面６に触れるとその信号を操作位置検出器７に知らせる。操作位置検出器７では、人の指がタッチパネル式操作器操作面６のどの部分を示したかを検出しＸＹ座標にて制御機８の操作制御部１０に伝える、このとき操作位置検出器７と操作制御部１０の間にある信号入切ＳＷ１２はＯＮされている。操作制御部１０では、タッチパネル式操作器操作面６において人の指が示した場所を表示器２の表示部３にマーク表示するため表示信号を表示制御部９に送信する、さらに操作制御部１０ではタッチパネル式操作器操作面６において人の指が示した場所の情報を外部の機器に送信するため外部送信機１５に操作信号を送出する。
【００１０】
次に、タッチパネル表示装置１のおそうじボタン４の動作について説明する。タッチパネル表示装置１が監視盤など表示の重要性が高く使用頻度も高い場合または、連続稼動が必要な場合においては特に、タッチパネル表示装置１のタッチパネル式操作器操作面６は入力操作等による汚れが頻繁に発生し表示の妨げとなる。タッチパネル式操作器操作面６の清掃を行う場合には、おそうじボタン4が押下される。おそうじボタン４が押下されたことを操作位置検器７が検出すると、押下信号がＯＮ状態の信号入切ＳＷ１２を介し操作制御部１０に送出される。操作制御部１０は操作位置検出部７からの位置信号の入切を行う信号入切ＳＷ１２をＯＦＦとすることでタッチパネル式操作器５からの入力信号を一切読み込まず、タッチパネル式操作器操作面６からの入力信号を無視するとともにタッチパネル式操作器操作面６において人の指が示した場所の情報を外部の機器に送信するための外部送信機１５への操作信号を送出も停止する。同時に時間検出部１１のタイマーカウントをスタートさせる。この間に、汚れたタッチパネル式操作装置操作面６の清掃を行うことで誤操作することなく清掃が可能となる。さらに、タッチパネル式操作装置操作面６からの入力信号をすべて無視している間でも、表示器２の表示部３には映像および文字情報は表示されている。
【００１１】
また、おそうじボタン４によるタッチパネル式操作装置５からの入力操作停止には、信号入切ＳＷ１２をＯＦＦとしたとき同時に時間検出部１１のタイマーカウントをスタートさせるがこのタイマーカウントが一定時間を過ぎると信号を操作制御部１０へ送出する、操作制御部１０では信号入切ＳＷ１２をＯＮとし、操作位置検出器７からの位置信号入力を自動復帰させることで、復帰操作の忘れ防止が可能である。さらに、入力されてくる映像信号に変化が発生したことを映像信号検出器１３が検知した場合、映像信号検出器１３は操作制御部１０に対し信号を送出する、操作制御部１０では信号入切ＳＷ１２をＯＮとし、操作位置検出器７からの位置信号入力を復帰させることでタッチパネル式操作器５からの入力操作を再開させることも可能である。
【００１２】
上記説明では、おそうじボタン４はタッチパネル式操作器５とは分離しているが、例えば表示器２の表示部３におそうじボタンを表示し、その部分に該当するタッチパネル式操作器操作面６を人の指により押下することで操作位置検出器７によりおそうじボタンが押下されたことを操作制御部１０に伝えるようにしても上記と同様の効果を上げることができる。
【００１３】
【発明の効果】
以上の説明から明らかなように、本発明によるタッチパネル表示装置のおそうじボタンによれば、タッチパネル式操作器の操作面が入力操作等で汚れた場合でも、表示器の表示を継続したままで、誤操作することなく安全にタッチパネル式操作器の操作面を清掃することが可能となる。
【図面の簡単な説明】
【図１】本発明によるタッチパネル表示装置の一実施例を示すブロック図。
【図２】従来のタッチパネル表示装置の一実施例を示すブロック図。
【符号の説明】
２・・・・表示器
３・・・・表示器の表示部
４・・・・おそうじボタン
５・・・・タッチパネル式操作器
６・・・・タッチパネル式操作器操作面
７・・・・操作位置検出器
８・・・・制御機
９・・・・表示制御部
１０・・・・操作制御部
１１・・・・時間検出部
１２・・・・信号入切スイッチ
１３・・・・映像信号検出器
１４・・・・映像送出装置
【図１】
0004256015.tif 000002
【図２】
0004256015.tif 000003